(57)【要約】【課題】  使用者の耳の形状の個人差に対応して正確に装着することができるヘッドホン装置を提供する。【解決手段】  内部が空洞の球体を形成し、前方に前後に貫通する孔を備える凸部を備え、後方に開口した孔を備えるハウジングと、内部が空洞の球体を形成し、前方に開口した孔を備え、後方に前後に貫通する孔を備え、前記ハウジングの内部に挿入される後部と、内部にリード線を備え、一端に入力端子を備え、当該入力端子を備える一端の他端が前記後部の孔を介して前記後部の内部に挿入されるケーブルと、前記ハウジングの内壁に固着し前記ケーブルの前記リード線に電気的に接続し前記入力端子が入力したオーディオ信号を放音する振動板を有するドライバーユニットとを備え、前記後部は、前記球体の表面が前記ハウジングの前記球体の内壁と略同一の球面を形成する。【選択図】      図１
2011077762.tif 000002
【特許請求の範囲】
【請求項１】
ケーブルを介して入力端子に入力されたオーディオ信号を出力するヘッドホン装置において、
内部が空洞の球体を形成し、前方に前後に貫通する孔を備える凸部を備え、後方に開口した孔を備えるハウジングと、
内部が空洞の球体を形成し、前方に開口した孔を備え、後方に前後に貫通する孔を備え、前記ハウジングの内部に挿入される後部と、
内部にリード線を備え、一端に入力端子を備え、当該入力端子を備える一端の他端が前記後部の孔を介して前記後部の内部に挿入されるケーブルと、
前記ハウジングの内壁に固着し前記ケーブルの前記リード線に電気的に接続し前記入力端子が入力したオーディオ信号を放音する振動板を有するドライバーユニットとを備え、
前記後部は、前記球体の表面が前記ハウジングの前記球体の内壁と略同一の球面を形成することを特徴とするヘッドホン装置。
【請求項２】
ケーブルを介して入力端子に入力されたオーディオ信号を出力するヘッドホン装置において、
内部が空洞の球体を形成し、前方に前後に貫通する孔を備える凸部を備え、後方に開口した孔を備えるハウジングと、
内部が空洞の球体を形成し、前方に開口した孔を備え、後方に前後に貫通する孔を備え、前記ハウジングを内部に挿入する後部と、
内部にリード線を備え、一端に入力端子を備え、当該入力端子を備える一端の他端が前記後部の孔を介して前記後部の内部に挿入されるケーブルと、
前記ハウジングの内壁に固着し前記ケーブルの前記リード線に電気的に接続し前記入力端子が入力したオーディオ信号を放音する振動板を有するドライバーユニットとを備え、
前記ハウジングは、前記球体の表面が前記後部の前記球体の内壁と略同一の球面を形成することを特徴とするヘッドホン装置。
【請求項３】
請求項１または２記載のヘッドホン装置において、
Ｌ字型を形成し、前記後部の後方に配設され、前記ケーブルを挿入する孔を備えるブッシュを備え、
前記ブッシュは、前記後部に回動自在に保持されることを特徴とするヘッドホン装置。
【発明の詳細な説明】
【技術分野】
【０００１】
本発明は、ケーブルを介して再生装置と接続し、再生装置から出力されたオーディオ信号を出力するヘッドホン装置に関する。
【背景技術】
【０００２】
従来のヘッドホン装置として、ケーブルを介して再生装置と電気的に接続し、再生装置から出力されたオーディオ信号を出力するヘッドホン装置が知られている。
【０００３】
図６は、従来のヘッドホン装置を示す概略構成図である。
ヘッドホン装置１００は、それぞれ２つのハウジング２００、前部３００及びイヤーパッド４を備え、それぞれのハウジング２００は、ケーブル６によって入力端子８に接続される。ケーブル６は、内部にリード線を備える。入力端子８は、再生装置１０の出力端子１１に接続される。再生装置１０は、オーディオ信号を再生し、再生したオーディオ信号を出力端子１１から出力する。
【０００４】
ヘッドホン装置１００は、図６で説明した構成の他、図示しないドライバーユニット及びブッシュを備える。ドライバーユニットは、前部３００の裏面に接着剤等により固着される。ドライバーユニットは、振動板（図示しない）を備え、ケーブルを介して入力端子８と電気的に接続される。
【０００５】
イヤーパッド４は、ゴム部材等の弾性体により円筒型に形成され、前後に貫通する孔（図示しない）を備える。イヤーパッド４は、接着剤等により前部３００の前方に保持された状態となる。
【０００６】
ヘッドホン装置１００は、再生装置１０の出力端子１１から出力されるオーディオ信号を入力端子８によって入力し、入力端子８から入力したオーディオ信号をケーブル６のリード線を介してドライバーユニットから放音する。ヘッドホン装置１００の使用者は、イヤーパッド４を耳にはめ込み、例えば、洋服のポケット等に再生装置１０を入れた状態で、再生装置１０からオーディオ信号を再生させる。このことにより、再生装置１０が再生したオーディオ信号が入力端子８及びケーブル６を介してドライバーユニット７によって放音され、この放音されたオーディオ信号が前部３００を介してイヤーパッド４の内部に伝達する。これにより、イヤーパッド４を装着した使用者の耳にオーディオ信号が伝達し、使用者は、ヘッドホン装置１００から出力されるオーディオ信号を聴取することができる。
【０００７】
前述したようなイヤーパッド４を耳にはめ込んでオーディオ信号を聴取するヘッドホン装置１００は、使用者の耳の耳介及び耳珠の形状が複雑な形状をしているため、イヤーパッド４を耳に装着しようとしても正確に装着できず、イヤーパッド４と外耳道との間に隙間が生じてしまい、その隙間によってオーディオ信号が漏れてしまうという問題がある。
【０００８】
この問題を解決するため、ハウジングに対するイヤーパッドの角度を耳の形状に合わせた角度に設定したヘッドホン装置が知られている（例えば、特許文献１参照）。
【０００９】
このような、ハウジングに対するイヤーパッドの角度を耳の形状に合わせた角度に設定したヘッドホン装置によれば、使用者の耳の形状に合わせてイヤーパッドの角度が設定されているため、イヤーパッドを耳にはめ込んだときの装着性を向上することができる。
【先行技術文献】
【特許文献】
【００１０】
【特許文献１】特開２００７−１８９４６８号公報
【発明の概要】
【発明が解決しようとする課題】
【００１１】
耳の形状や大きさ、特に耳介に対する外耳道の位置や角度は、人によってそれぞれ異なっている。このため、前述したような、ハウジングに対するイヤーパッドの角度を耳の形状に合わせた角度に設定したヘッドホン装置であっても、使用者によって耳介に対する外耳道の位置や角度が異なるため、ヘッドホン装置を耳に正確に装着することができないことがある。ヘッドホン装置を耳に正確に装着することができないと、イヤーパッドと耳との間に隙間が生じてオーディオ信号が漏れてしまい、聴取するオーディオ信号の音質が著しく低下してしまう。また、ヘッドホン装置を耳に正確に装着できない状態でヘッドホン装置を長時間装着していると、耳に違和感が生じてしまい、使用者に不快感を与えることになる。
【００１２】
本発明は、ケーブルを介して再生装置と電気的に接続し、再生装置から出力されたオーディオ信号を出力するヘッドホン装置において、使用者の耳の形状の個人差に対応して正確に装着することができるヘッドホン装置を提供することを目的とする。
【課題を解決するための手段】
【００１３】
本願の請求項１記載の発明は、ケーブルを介して入力端子に入力されたオーディオ信号を出力するヘッドホン装置において、内部が空洞の球体を形成し、前方に前後に貫通する孔を備える凸部を備え、後方に開口した孔を備えるハウジングと、内部が空洞の球体を形成し、前方に開口した孔を備え、後方に前後に貫通する孔を備え、前記ハウジングの内部に挿入される後部と、内部にリード線を備え、一端に入力端子を備え、当該入力端子を備える一端の他端が前記後部の孔を介して前記後部の内部に挿入されるケーブルと、前記ハウジングの内壁に固着し前記ケーブルの前記リード線に電気的に接続し前記入力端子が入力したオーディオ信号を放音する振動板を有するドライバーユニットとを備え、前記後部は、前記球体の表面が前記ハウジングの前記球体の内壁と略同一の球面を形成することを特徴とする。
【００１４】
本願の請求項２記載の発明は、ケーブルを介して入力端子に入力されたオーディオ信号を出力するヘッドホン装置において、内部が空洞の球体を形成し、前方に前後に貫通する孔を備える凸部を備え、後方に開口した孔を備えるハウジングと、内部が空洞の球体を形成し、前方に開口した孔を備え、後方に前後に貫通する孔を備え、前記ハウジングを内部に挿入する後部と、内部にリード線を備え、一端に入力端子を備え、当該入力端子を備える一端の他端が前記後部の孔を介して前記後部の内部に挿入されるケーブルと、前記ハウジングの内壁に固着し前記ケーブルの前記リード線に電気的に接続し前記入力端子が入力したオーディオ信号を放音する振動板を有するドライバーユニットとを備え、前記ハウジングは、前記球体の表面が前記後部の前記球体の内壁と略同一の球面を形成することを特徴とする。
【００１５】
本願の請求項３記載の発明は、請求項１または２記載のヘッドホン装置において、Ｌ字型を形成し、前記後部の後方に配設され、前記ケーブルを挿入する孔を備えるブッシュを備え、前記ブッシュは、前記後部に回動自在に保持されることを特徴とする。
【発明の効果】
【００１６】
本発明によれば、ケーブルを介して再生装置と電気的に接続し、再生装置から出力されたオーディオ信号を出力するヘッドホン装置において、使用者の耳の形状の個人差に対応して正確に装着することができるヘッドホン装置を提供することができる。
【図面の簡単な説明】
【００１７】
【図１】本発明の一実施例のヘッドホン装置を示す概略構成図。
【図２】本実施例のヘッドホン装置１を示す断面図。
【図３】本実施例のヘッドホン装置１において、ハウジング２の前方を下方にスライドさせた状態を示す断面図。
【図４】本実施例のヘッドホン装置１において、ブッシュ５を上方に回動させた状態を示す断面図。
【図５】本実施例のヘッドホン装置１において、ヘッドホン装置１を耳に装着した状態を示す側面図で、図５（ａ）は通常の装着状態を示す図、図５（ｂ）はブッシュ５を上方に回動させた状態を示す図。
【図６】従来のヘッドホン装置を示す概略構成図。
【発明を実施するための形態】
【００１８】
本発明の実施の形態を図面を参照して説明する。なお、背景技術又は図６で示した構成要素と同一の部分については同符号を用いる。
【００１９】
図１は、本発明の一実施例のヘッドホン装置を示す概略構成図である。
ヘッドホン装置１は、ハウジング２、後部３、イヤーパッド４、ブッシュ５、ケーブル６、ドライバーユニット７及び入力端子８を備える。入力端子８については、背景技術で説明した構成と同様の構成であるため、説明を省略する。
【００２０】
図２は、本実施例のヘッドホン装置１を示す断面図である。
図２に示すヘッドホン装置１においては、左方向をヘッドホン装置１の前方とし、上方向をヘッドホン装置１の上方とする。
【００２１】
図１及び図２に示すように、ハウジング２は、内部が空洞の球体を形成し、後方に開口した孔２０１を備える。ハウジング２は、前方に円筒型を形成する凸部２０２を備える。凸部２０２は、前後に貫通する孔２０４を備え、外周の中央部分に溝部２０３を備える。
【００２２】
後部３は、ゴム部材等の弾性体から成り、内部が空洞の球体を形成し、前方に開口した孔３０１を備える。後部３は、後方に凸部３０２を備える。凸部３０２は、前後に貫通する孔３０４を備え、外周の後方部分に溝部３０３を備える。
【００２３】
後部３の球体部分の表面は、ハウジング２の球体部分の内壁と略同一の球面を形成する。後部３は、球体の表面を内側に変形させながらハウジング２の内壁に押し込むことによってハウジング２の内部に挿入される。ハウジング２は、後部３がハウジング２の内部に挿入された状態のとき、球体部分の内壁が後部３の球体部分の表面と略同一の球面であることから、球体の中心を軸として上下方向及び左右方向に自在にスライド可能となる。
【００２４】
ブッシュ５は、図１及び図２に示すように、前後方向に円筒型を形成すると共に、後方部分が下方に曲がったＬ字型を形成する。ブッシュ５は、前方から後方の下端に亘ってＬ字型に貫通する孔５０３を備える。ブッシュ５は、前方部分に凹部５０１を備え、凹部５０１の外周部分に鍔部５０２を備える。ブッシュ５は、鍔部５０２が後部３の溝部３０３にはめ込まれることによって、前後方向を軸として自在に回動可能に後部３に保持された状態となる。
【００２５】
イヤーパッド４は、ゴム部材等の弾性体により円筒型に形成され、前後に貫通する孔４０１を備える。イヤーパッド４は、後方の内側部分に鍔部４０２を備える。イヤーパッド４は、鍔部４０２が前部３の溝部３０３にはめ込まれることによって前部３の前方に保持された状態となる。
【００２６】
ケーブル６は、入力端子８を備える一端の他端がブッシュ５の孔５０３及び後部３の孔３０４を介して後部３の内部に挿入され、この後部３の内部で結び目６０１を形成する。ケーブル６は、この結び目６０１によって弾性部５の内部から下方に脱落しないように成されている。
【００２７】
ドライバーユニット７は、図示しない振動板を備え、ケーブル６のリード線６０２に電気的に接続される。ドライバーユニット７は、ハウジング２の前方の裏面に接着剤等により固着される。
【００２８】
図１及び図２に示すように、ヘッドホン装置１は、背景技術で説明した再生装置の出力端子から出力されるオーディオ信号を入力端子８によって入力し、入力端子８から入力したオーディオ信号をケーブル６を介してドライバーユニット７から放音する。ヘッドホン装置１の使用者は、イヤーパッド４を耳にはめ込み、例えば、洋服のポケット等に再生装置を入れた状態で、再生装置からオーディオ信号を再生させる。このことにより、再生装置が再生したオーディオ信号が入力端子８及びケーブル６を介してドライバーユニット７によって放音され、この放音されたオーディオ信号がハウジング２の孔２０４を介してイヤーパッド４の孔４０１の内部に伝達する。これにより、イヤーパッド４を装着した使用者の耳にオーディオ信号が伝達し、使用者は、ヘッドホン装置１から出力されるオーディオ信号を聴取することができる。
【００２９】
図３は、本実施例のヘッドホン装置１において、ハウジング２の前方を下方にスライドさせた状態を示す断面図である。
図３に示すヘッドホン装置１においては、左方向をヘッドホン装置１の前方とし、上方向をヘッドホン装置１の上方とする。
【００３０】
使用者がヘッドホン装置１を使用する場合において、イヤーパッド４を耳にはめ込んだときにイヤーパッド４の角度が耳介に対する外耳道の位置や角度に合っていない場合は、図３に示すように、例えば、使用者がハウジング２を把持てハウジング２の前方を下方にスライドさせたり、また、図示しないが上方、右方向、左方向にスライドさせることにより、ハウジング２を好みの角度にスライドさせ、その後にイヤーパッド４を耳にはめ込む。このことにより、イヤーパッド４の角度を外耳道の位置及び角度に合致させることができるので、ヘッドホン装置１を耳に正確に装着することができる。
【００３１】
図４は、本実施例のヘッドホン装置１において、ブッシュ５を上方に回動させた状態を示す断面図である。
図４に示すヘッドホン装置１においては、左方向をヘッドホン装置１の前方とし、上方向をヘッドホン装置１の上方とする。
【００３２】
図５は、本実施例のヘッドホン装置１において、ヘッドホン装置１を耳に装着した状態を示す側面図で、図５（ａ）は通常の装着状態を示す図、図５（ｂ）はブッシュ５を上方に回動させた状態を示す図である。
【００３３】
使用者がヘッドホン装置１を装着する場合は、通常、図５（ａ）に示すように、ブッシュ５から外部に出るケーブル６を下方に垂らせた状態で耳９に装着するが、ケーブル６が耳の下方に垂れているのに違和感がある場合は、図４に示すように、ケーブル６が突出する部分が上方となるようにブッシュ５を回動させ、図５（ｂ）に示すようにブッシュ５から出たケーブル６を耳介９０１の裏に掛架させた状態で装着する。このことにより、ヘッドホン装置１を装着したときの違和感を防止することができる。
【００３４】
また、ヘッドホン装置１の使用者が、洋服のポケット等に再生装置を入れ、ヘッドホン装置１のイヤーパッド４を耳９に装着した状態で、ヘッドホン装置１から出力されるオーディオ信号を聴取している場合、ケーブル６が衣類や靴等に接触したり、また、擦れたりしてケーブル６に振動が発生した場合、このケーブル６に発生した振動がドライバーユニット７に伝達し、この振動によってタッチノイズが生じ、使用者の耳９には、オーディオ信号に混じってタッチノイズが伝達され、聴取するオーディオ信号の音質が悪化することがある。
【００３５】
このように、タッチノイズが生じた場合は、図４に示すように、ケーブル６が突出する部分が上方となるようにブッシュ５を回動させ、図５（ｂ）に示すようにブッシュ５から出たケーブル６を耳介９０１の裏に掛架させた状態で装着する。このようにケーブル６を耳介９０１の裏に掛架させることにより、ケーブル６が衣類や靴等に接触したり、また、擦れたりしてケーブル６に振動が発生した場合でも、ケーブル６に生じた振動がケーブル６に接した耳介９０１の裏の部分によって減衰することから、タッチノイズを減少させることができる。
【００３６】
以上のように、本実施例のヘッドホン装置１は、耳介に対する外耳道の位置や角度が各々の使用者によって異なっていても、ハウジング２をスライドさせてイヤーパッド４の角度を変化させ、使用者の外耳道の角度とイヤーパッド４の角度を合致させて耳に装着することにより、ヘッドホン装置１を正確に装着することができる。
【００３７】
また、本実施例のヘッドホン装置１は、ケーブル６が耳の下方に垂れているのに違和感がある場合でも、ブッシュ５を回動させ、ブッシュ５から出たケーブル６を耳介９０１の裏に掛架させた状態で装着することにより、ヘッドホン装置１を装着したときの違和感を防止することができる。
【００３８】
更に、本実施例のヘッドホン装置１は、ケーブル６に振動が生じることによるタッチノイズが発生した場合でも、ブッシュ５を回動させ、ブッシュ５から出たケーブル６を耳介９０１の裏に掛架させた状態で装着することにより、タッチノイズを減少させることができる。
【００３９】
本実施例のヘッドホン装置１は、後部３を弾性体で形成する構成とし、後部３を内側に変形させた状態でハウジング２の内部に挿入する構成としたが、例えば、ハウジング２を２分割した構成とし、後部３をハウジング２の内部に配設させた後に、この２分割したハウジング２を接合させる構成とした場合は、後部３を硬質な部材としても良い。また、本実施例のヘッドホン装置１は、後部３をハウジング２の内部の挿入させる構成としたが、ハウジング２を後部３の内部に挿入させる構成としても良い。この場合、ハウジング２の球体の表面は、後部３の球体の内壁の表面と略同一の球面とする。このように、後部３の材質を選択可能としたり、ハウジング２を後部３の内部に挿入させる構成とすることによって、ヘッドホン装置の外観のデザインを自在に選択することができる。
【００４０】
本実施例のヘッドホン装置１は、後部３に回動自在に保持されるブッシュ５を備える構成としたが、ブッシュ５から出たケーブル６の位置を変化させる必要がない場合は、後部３とブッシュ５を一体成型したものとしても良い。これにより、ヘッドホン装置１の部品点数を減少させることができるので、ヘッドホン装置１の製造コストを低減させることができる。
【産業上の利用可能性】
【００４１】
本発明は、ケーブルを介して再生装置と接続し、再生装置から出力されたオーディオ信号を出力するヘッドホン装置に有用に用いることができる。
【符号の説明】
【００４２】
１  ヘッドホン装置、２  ハウジング、２０１  孔、２０２  凸部、２０３  溝部、
２０４  孔、
３  後部、３０１  孔、３０２  凸部、３０３  溝部、３０４  孔、
４  イヤーパッド、４０１  孔、４０２  鍔部、
５  ブッシュ、５０１  凹部、５０２  鍔部、５０３  孔、
６  ケーブル、６０１  結び目、６０２  リード線、
７  ドライバーユニット、８  入力端子、９  耳、９０１  耳介、
１０  再生装置、１１  出力端子、１００  ヘッドホン装置、２００  ハウジング、
２１０  孔、３００  前部、５００  ブッシュ
【図１】
2011077762.tif 000003
【図２】
2011077762.tif 000004
【図３】
2011077762.tif 000005
【図４】
2011077762.tif 000006
【図５】
2011077762.tif 000007
【図６】
2011077762.tif 000008